(57)【要約】【課題】簡易な構造で、容易な操作により、容器体内の内容物を安定して容器外部に取り出すことができるカップ容器用蓋体を提供すること。【解決手段】内容物が収容される有底筒状をなし、その口部３がシール部材４により破断可能に閉塞された容器体２の、前記口部３に装着されるカップ容器用蓋体であって、前記シール部材４上に配設される本体板８と、前記本体板８に形成された貫通孔９内に配設される回動板１１と、前記本体板８に対して前記回動板１１を回動可能に連結するヒンジと、を備え、前記回動板１１は、前記ヒンジからカップ容器の前方に向けて延びる刃部２２を備え、前記刃部２２には、該刃部２２により破断された前記シール部材４の開封部分、又は、前記容器体２の内周面に係止可能とされた係止片２０が突設されることを特徴とする。【選択図】図３
2014069832.tif 000002
【特許請求の範囲】
【請求項１】
内容物が収容される有底筒状をなし、その口部がシール部材により破断可能に閉塞された容器体の、前記口部に装着されるカップ容器用蓋体であって、
前記シール部材上に配設される本体板と、
前記本体板に形成された貫通孔内に配設される回動板と、
前記本体板に対して前記回動板を回動可能に連結するヒンジと、を備え、
前記回動板は、前記ヒンジからカップ容器の前方に向けて延びる刃部を備え、
前記刃部には、該刃部により破断された前記シール部材の開封部分、又は、前記容器体の内周面に係止可能とされた係止片が突設されることを特徴とするカップ容器用蓋体。
【請求項２】
請求項１に記載のカップ容器用蓋体であって、
前記係止片は、前記刃部の前方端部から容器軸方向に沿う容器外側へ向けて延設されていることを特徴とするカップ容器用蓋体。
【発明の詳細な説明】
【技術分野】
【０００１】
本発明は、カップ容器用蓋体に関するものである。
【背景技術】
【０００２】
従来のカップ容器として、内容物が収容される有底筒状をなし、その口部がシール部材により破断可能に閉塞された容器体と、前記容器体の口部に装着されるカップ容器用蓋体と、を備えたものが知られている。
例えば、下記特許文献１に示されるカップ容器用蓋体は、容器体の口部に固定される支持部と、支持部に支持される操作部と、操作部を操作することにより作動させられて口部を開封する開封部（刃部）と、を備えている。このカップ容器用蓋体が装着されたカップ容器を開封するには、該カップ容器用蓋体を容器体の口部に装着した状態から、操作部を引き上げることで開封部を回動させ、該開封部により口部のシール部材を破断させた後、さらにこの開封部を支持部に係止するまで回動させる。これにより、シール部材の破断後、開封部が前述の回動とは逆向きに回動したり、不安定に揺動したりするようなことを防止して、容器体内の内容物を安定して容器外部に取り出せるようにしている。
【先行技術文献】
【特許文献】
【０００３】
【特許文献１】特許第３６０７００２号公報
【発明の概要】
【発明が解決しようとする課題】
【０００４】
しかしながら、上記従来のカップ容器用蓋体では、簡易な構造で、容易な操作により、容器体内の内容物を安定して容器外部に取り出すことに改善の余地があった。
【０００５】
本発明は、このような事情に鑑みてなされたものであって、簡易な構造で、容易な操作により、容器体内の内容物を安定して容器外部に取り出すことができるカップ容器用蓋体を提供することを目的としている。
【課題を解決するための手段】
【０００６】
前記課題を解決するために、本発明は以下の手段を提案している。
すなわち、本発明は、内容物が収容される有底筒状をなし、その口部がシール部材により破断可能に閉塞された容器体の、前記口部に装着されるカップ容器用蓋体であって、前記シール部材上に配設される本体板と、前記本体板に形成された貫通孔内に配設される回動板と、前記本体板に対して前記回動板を回動可能に連結するヒンジと、を備え、前記回動板は、前記ヒンジからカップ容器の前方に向けて延びる刃部を備え、前記刃部には、該刃部により破断された前記シール部材の開封部分、又は、前記容器体の内周面に係止可能とされた係止片が突設されることを特徴とする。
【０００７】
このカップ容器では、容器体の口部にカップ容器用蓋体が装着された状態で、該蓋体における回動板の刃部をヒンジ回りに回動させる（容器軸方向に沿う容器内側に向けて回動させる）ことで、該刃部がシール部材に押し当てられ、該シール部材が破断されて、容器体の口部の閉塞が解除される。
【０００８】
本発明のカップ容器用蓋体によれば、刃部によりシール部材が破断されて開口した該シール部材の開封部分、又は容器体の内周面に対して、該刃部の係止片が係止可能とされているので、カップ容器の開封後に、本体板に対して回動板の刃部の位置を安定させることができる。すなわち、シール部材を破断した後、回動板の刃部が前述の回動とは逆向きに（容器軸方向に沿う容器外側に向けて）回動したり、不安定に揺動したりするようなことが防止され、これにより内容物を安定して容器外部に取り出すことができる。
【０００９】
そして、本発明は、刃部に係止片が突設されるだけの簡単な構造で、かつ、該刃部によりシール部材を破断させるだけの簡単な操作によって、前述した作用効果を奏するのである。
【００１０】
また、本発明のカップ容器用蓋体において、前記係止片は、前記刃部の前方端部から容器軸方向に沿う容器外側へ向けて延設されていることとしてもよい。
【００１１】
この場合、刃部によりシール部材を破断する際には、該刃部の係止片がシール部材の開封部分や容器体の内周面に引っ掛かりにくくされている一方、シール部材の破断後には、該シール部材の開封部分や容器体の内周面に対して、係止片がより確実に係止されやすくなる。
【発明の効果】
【００１２】
本発明のカップ容器用蓋体によれば、簡易な構造で、容易な操作により、容器体内の内容物を安定して容器外部に取り出すことができる。
【図面の簡単な説明】
【００１３】
【図１】本発明の一実施形態に係るカップ容器用蓋体及びこれを装着したカップ容器の上面図である。
【図２】図１のカップ容器用蓋体及びカップ容器を示す縦断面図である。
【図３】図２のＡ部を拡大して示す図である。
【発明を実施するための形態】
【００１４】
以下、図面を参照し、本発明の一実施形態に係るカップ容器用蓋体１及びこれを用いたカップ容器１０について説明する。
図１及び図２に示されるように、カップ容器１０は、内容物が収容される有底筒状をなし、その口部３がシール部材４により破断可能に閉塞された容器体２と、容器体２の口部３に装着されるカップ容器用蓋体１と、を備えている。また、シール部材４により密封された容器体２内には、内容物として、例えば飲料等の液体が収容される。
ここで、容器体２及びカップ容器用蓋体１の各中心軸線は、共通軸上に位置している。本明細書では、この共通軸を容器軸Ｏといい、容器軸Ｏに沿う方向（容器軸Ｏ方向）のうち、容器体２の底部側を下側といい、カップ容器用蓋体１側を上側といい、容器軸Ｏに直交する方向を径方向といい、容器軸Ｏ回りに周回する方向を周方向という。
【００１５】
図２において、容器体２は、該容器体２の胴部及び口部３を構成する周壁５と、底部を構成する底壁１９と、を有している。周壁５は、底壁１９から上側に向かうに従い漸次拡径するテーパ筒状をなしており、該周壁５の上端開口部が、前記口部３となっている。また、周壁５の上端開口部には、径方向外側に向けて突出するとともに周方向に沿って延びる環状のフランジ６が形成されている。
【００１６】
周壁５の口部３には、径方向内側に向けて突出するとともに周方向に沿って延びる口部突起２８が形成されている。
また周壁５の胴部における下端部には、径方向内側に向けて突出する底部突起２９が、周方向に間隔をあけて複数形成されている。これら底部突起２９は、周壁５の下端部において底壁１９から上側に離間して配置されている。底部突起２９が周壁５から径方向内側に向けて突出する突出量は、図示の例では、周壁５の厚さと同等程度となっている。また、底壁１９は、周壁５の下端開口部よりも上側に位置しており、内容物を充填する前の容器体２を容器軸Ｏ方向に複数積み重ねて保管する場合などにおいて、下側に位置する容器体２の底部突起２９には、上側に位置する容器体２の周壁５における下端開口部が、前記底部突起２９の上側から当接するようになっている。
これらの口部突起２８及び底部突起２９は、内容物を収容する前のシール部材４が貼着されていない状態の容器体２を、容器軸Ｏ方向に複数重ねて保管する場合などにおいて、これら容器体２の周壁５同士が密着することを抑制して前記周壁５同士の間に隙間を形成するとともに、これら容器体２同士を容器軸Ｏ方向に離間させやすくする目的で設けられている。
【００１７】
シール部材４は、例えばアルミ蒸着シートや積層されたプラスチックフィルムなどのバリア性シート材で構成されており、シール部材４の下面には熱溶着層が形成されている。シール部材４は、容器体２内に内容物が充填された後に、フランジ６の上面に熱溶着されており、内容物が容器外部に漏出しないように口部３を封止している。尚、シール部材４としてバリア性シート材を用いた場合には、空気などが容器体２内に侵入することを防止して内容物の変質を防ぐことができる。
【００１８】
カップ容器用蓋体１は、容器体２の口部３に装着される装着筒７と、装着筒７に支持されてシール部材４上に配設される本体板８と、本体板８に形成された貫通孔９内に配設される回動板１１と、回動板１１をカップ容器１０の側方（両側）から挟むように一対配置され、本体板８に対して回動板１１を回動可能に連結するヒンジ１２と、を備えている。
ここで、回動板１１は、一枚の板状体からなるとともに、図１に示される上面視で、容器軸Ｏを挟んで一方側（図１における左側）に配置される刃部２２と、他方側（図１における右側）に配置される操作部２３と、を備えている。本明細書においては、前記径方向のうち、容器軸Ｏから刃部２２へ向かう方向をカップ容器１０の前方といい、容器軸Ｏから操作部２３へ向かう方向をカップ容器１０の後方といい、これら前方及び後方に直交する方向をカップ容器１０の側方（図１における上下方向）という。尚、前記側方は、カップ容器１０を前方から見たときの左方と右方とを含んでおり、つまり左右方向のうちいずれか又は両方である。
【００１９】
装着筒７は、容器体２のフランジ６に外嵌される嵌合筒部１３と、嵌合筒部１３上に立設されるガイド筒部１４と、を有している。
嵌合筒部１３は、周壁１５と、天壁１６と、を有している。図２に示される縦断面視で、周壁１５は、天壁１６の外周端部から下側に向かうに従い漸次径方向外側に向かって傾斜して延びている。周壁１５には、径方向内側に向かって突出するとともに周方向に沿って延びる環状又は円弧状の突起１７が突設されており、該突起１７は、フランジ６の外周端部にその下側から当接可能となっている。突起１７が円弧状をなす場合は、周壁１５の内周面に周方向に間隔をあけて、複数の突起１７が形成されることが好ましい。
【００２０】
天壁１６は、円環板状をなしてフランジ６上に配置されており、その径方向内側に位置する部位が大きく円形状に切り欠かれている。図３に示されるように、天壁１６には、下側に向けて突出するとともに周方向に沿って延びる環状のシール突起１８が形成されており、該シール突起１８は、フランジ６上に位置するシール部材４の外周端部に、その上側から当接している。
【００２１】
ガイド筒部１４は、嵌合筒部１３の天壁１６の内周端部に立設されている。図２に示される例では、ガイド筒部１４は、上側に向かうに従い漸次薄肉となるように形成されている。
【００２２】
図２に示されるように、ガイド筒部１４の高さ（嵌合筒部１３から上側へ向けて突出する長さ）は、該ガイド筒部１４の前方部分において最も高くされており、前方部分から側方部分にかけての領域では後方に向かうに従い漸次低くなっていき、側方部分から後方部分にかけての領域が最も低くされている。尚、特に図示していないが、例えばガイド筒部１４の後方部分に、上側に向けて突出する支持凸部を形成するとともに、該支持凸部の高さと、ガイド筒部１４の前方部分の高さとを、互いに同一としてもよい。
【００２３】
本体板８は、装着筒７における嵌合筒部１３の天壁１６とガイド筒部１４との接続部分から径方向内側へ向かって延設されて、該装着筒７内に配設されている。図１に示されるように、本体板８は、全体として円板状をなしており、その外周端部が装着筒７の内周面に連結されることにより、該装着筒７に支持されている。また、図２に示される縦断面視で、本体板８は、その径方向中央（径方向内側）に位置する部位が容器軸Ｏに垂直な平坦状とされ、径方向外側に位置する部位については、径方向外側に向かうに従い漸次下側へ向かって傾斜するテーパ状となっている。
【００２４】
本体板８は、シール部材４の上面との間に間隔をあけて、該シール部材４をその上側から覆うように配設されている。本体板８は、容器軸Ｏに垂直な平坦状をなすシール部材４から上側に向けて膨出するように形成されており、これらの本体板８とシール部材４との間には隙間が設けられている。
【００２５】
貫通孔９は、本体板８を容器軸Ｏ方向に貫通して形成されている。図１に示される上面視で、貫通孔９は、本体板８の中央（容器軸Ｏ上）とその前方部分及び後方部分にわたって開口されており、カップ容器１０の前後方向（図１における左右方向）に長い矩形状をなしている。図示の例では、全体として円形状をなす本体板８に対して、前後方向に延びる貫通孔９が該本体板８を分断するように開口されていることで、本体板８に、半円形状をなす一対の側方部分が形成されている。
【００２６】
貫通孔９における前方端部と容器軸Ｏとの間に位置する部分には、側方に向けて切り欠かれるように一対の凹部２１が形成されている。これらの凹部２１は、互いに逆向きの側方（つまり左方と右方）に向けて、それぞれ窪まされている。図１に示される上面視で、貫通孔９において一対の凹部２１より前方に位置する部分は、前方に向かうに従い漸次その幅が狭くなるように形成されている。貫通孔９における前方端部は、シール部材４が開封された際に、カップ容器１０を傾けて内容物を流出させる取出口となっている。
【００２７】
回動板１１は、貫通孔９に対応する形状をなしているとともに、該貫通孔９内に収容されている。図１に示される上面視で、回動板１１は、カップ容器１０の前後方向に長い矩形状をなしている。回動板１１は、該回動板１１において前方に位置する刃部２２と、後方に位置する操作部２３と、これら刃部２２及び操作部２３の中間部分（接続部分）から側方に向けてそれぞれ延びる一対の凸部２４と、を備えている。
尚、特に図示しないが、回動板１１の剛性を確保する目的で、該回動板１１の表裏面（いずれか一方でもよい）には、前後方向や左右方向に延設される補強壁部を設けてもよい。
【００２８】
一対の凸部２４は、回動板１１における前方端部と容器軸Ｏとの間に位置する部分から、側方に向けて突出して形成されている。これらの凸部２４は、回動板１１において刃部２２及び操作部２３が形成される本体部分から、互いに逆向きの側方に向けて、それぞれ突設されている。
【００２９】
図１に示すように、凸部２４における後方端部（後方を向く端面）と、凹部２１における後方端部（前方を向く端面）とは、薄肉とされて弾性変形可能なヒンジ１２により連結されている。すなわち、回動板１１は、互いに側方に間隔をあけて配置された一対のヒンジ１２を介して本体板８に連結されており、これにより回動板１１は、本体板８に対してヒンジ１２回りに安定して回動可能となっている。
尚、図２及び図３に示される回動板１１のうち、２点鎖線で表されるものが、本体板８に対して回動操作する前（カップ容器１０の開封前）の回動板１１の姿勢であり、実線で表されるものが、本体板８に対して回動操作された後（カップ容器１０の開封後）の回動板１１の姿勢である。
【００３０】
回動板１１においてヒンジ１２（具体的には一対のヒンジ１２間）からカップ容器１０の前方に向けて延びる部位が、シール部材４を破断可能な刃部２２となっている。図１に示される上面視で、刃部２２は、前方に向かうに従い漸次その幅が狭くなるように形成されている。また、図２及び図３に示される縦断面視で、刃部２２の前方端部における下端部（後述する先鋭刃２５部分）は、下側に向かうに従い漸次薄肉とされている。
【００３１】
刃部２２の下面における前方端部には、下側に向けて突出されるとともにシール部材４に切り込み可能な先鋭形状とされた先鋭刃２５が形成されている。刃部２２の前方端部及び側方端部（左右端部）には、該刃部２２を下側から見て略コ字状をなすように、壁部が下側へ向けて突設されており、先鋭刃２５は、前記前方端部に垂下設された壁部部分に形成されている。また、刃部２２の前記側方端部に垂下設された壁部部分には、先鋭刃２５よりも後方に配置され、該先鋭刃２５よりも下側に向けた突出量が小さい突起２６が形成されている。
【００３２】
図３に示すように、先鋭刃２５は、回動板１１の径方向外側の端部において最も下側に位置しており、突起２６は、先鋭刃２５よりも上側に位置している。図３に２点鎖線で示す回動操作前の回動板１１において、先鋭刃２５及び突起２６と、シール部材４との間には、隙間が設けられている。この隙間は、例えば容器体２の内圧が増加するなどしてシール部材４が上側に向けて膨出した場合においても、該シール部材４が先鋭刃２５や突起２６に当接しない程度に設定されていることが好ましい。
【００３３】
また、回動板１１の刃部２２には、該回動板１１をその厚さ方向に貫通する取出孔２７が形成されている。図１に示される上面視で、取出孔２７は、矩形状をなしており、刃部２２の前方端部において互いに側方に間隔をあけて一対形成されている。
刃部２２によりシール部材４が開封された際において、これらの取出孔２７内には、内容物が流通可能となっている。
【００３４】
そして、刃部２２には、該刃部２２により破断されたシール部材４の開封部分、又は、容器体２の内周面に係止可能とされた係止片２０が突設されている。係止片２０は、刃部２２の前方端部から上側（容器軸Ｏ方向に沿う容器外側）へ向けて延設されている。
【００３５】
本実施形態においては、係止片２０は、板状又は羽根状をなしており、図３に示される縦断面視で、該係止片２０は、刃部２２の前方端面における先鋭刃２５の上側部分から突設されるとともに、前方に向かうに従い漸次上側へ向かって延びている。そして、図３に実線で示す回動操作後の回動板１１において、係止片２０は、シール部材４の開封部分にその下側から当接し、係止されている。尚、特に図示していないが、本実施形態とは異なり、刃部２２がシール部材４を破断した後、該刃部２２の係止片２０が、容器体２の内周面に係止する構成としてもよい。この場合、係止片２０が、口部突起２８に係止可能であることがより好ましい。
【００３６】
また、回動板１１において一対のヒンジ１２間からカップ容器１０の後方に向けて延びる部位が、これらヒンジ１２回りに刃部２２を回動させるための操作部２３となっている。図２に示される縦断面視で、操作部２３における後端部の上面は、後方に向かうに従い漸次下側に向かって傾斜して延びている。
また、貫通孔９内における操作部２３の後方には、隙間が形成されている。図１に示される例では、この隙間が矩形状をなしている。
【００３７】
以上説明した本実施形態のカップ容器１０では、図２に示すように、容器体２の口部３にカップ容器用蓋体１が装着された状態で、該蓋体１における回動板１１の操作部２３を引き上げる（上側に向けて操作する、すなわち容器軸Ｏ方向に沿う容器外側に向けて操作する）ことで、この回動板１１において操作部２３とは反対側に位置する刃部２２が、一対のヒンジ１２回りに、操作部２３とは逆向きに（下側に向けて、すなわち容器軸Ｏ方向に沿う容器内側に向けて）回動させられるとともに、該刃部２２の先鋭刃２５がシール部材４に押し当てられ、該シール部材４が破断されて、容器体２の口部３の閉塞が解除される。
【００３８】
本実施形態の刃部２２には、先鋭刃２５と間隔をあけて突起２６が形成されており、予め先鋭刃２５が破断したシール部材４の開封部分を、該突起２６でも押し広げて、シール部材４が所定範囲以上の開口面積となるように開封される。
【００３９】
このようにシール部材４が開封されることで、容器体２内と、本体板８の貫通孔９における前記取出口とが連通される。
次いで、操作者（カップ容器１０の内容物を飲む者）は、例えばガイド筒部１４の前方部分に口を付けながら、このカップ容器１０の上部を前方に向けて倒すように、該カップ容器１０を傾ける。これにより、容器体２内からシール部材４の開封部分及び貫通孔９の前記取出口を通して、内容物が容器外部に流出し、この内容物が、ガイド筒部１４の周面を伝いながら操作者の口に導入される。このとき、前記取出口から取り出された内容物がカップ容器用蓋体１から零れ落ちることは、ガイド筒部１４により抑制されることとなる。
【００４０】
本実施形態のカップ容器用蓋体１によれば、刃部２２によりシール部材４が破断されて開口した該シール部材４の開封部分、又は容器体２の内周面に対して、該刃部２２の係止片２０が係止可能とされているので、カップ容器１０の開封後に、本体板８に対して回動板１１の刃部２２の位置を安定させることができる。すなわち、シール部材４を破断した後、回動板１１の刃部２２が前述の回動とは逆向きに（容器軸Ｏ方向に沿う容器外側に向けて）回動したり、不安定に揺動したりするようなことが防止され、これにより内容物を安定して容器外部に取り出すことができる。
【００４１】
そして、本実施形態のカップ容器用蓋体１は、刃部２２に係止片２０が突設されるだけの簡単な構造で、かつ、該刃部２２によりシール部材４を破断させるだけの簡単な操作によって、前述した作用効果を奏するのである。
【００４２】
また、係止片２０が、刃部２２の前方端部から上側へ向けて延設されているので、刃部２２によりシール部材４を破断する際には、該刃部２２の係止片２０が径方向で弾性変形可能となっているためシール部材４の開封部分や容器体２の内周面に引っ掛かりにくくされている一方、シール部材４の破断後には、該シール部材４の開封部分や容器体２の内周面に対して、係止片２０がより確実に係止されやすくなる。
【００４３】
尚、本発明は前述の実施の形態に限定されるものではなく、本発明の趣旨を逸脱しない範囲において種々の変更を加えることが可能である。
【００４４】
例えば、前述の実施形態では、カップ容器用蓋体１に装着筒７が設けられており、該装着筒７を介して、本体板８が容器体２の口部３に装着されているとしたが、これに限定されるものではない。すなわち、装着筒７が設けられる代わりに、本体板８が、容器体２の口部３に直接装着されているとともに、シール部材４との間に間隔をあけて該シール部材４の上側を覆っていても構わない。
【００４５】
また、前述の実施形態では、ガイド筒部１４が一重筒状をなしているとしたが、これに限定されるものではなく、ガイド筒部１４は二重筒状であってもよい。また、ガイド筒部１４が設けられていなくても構わない。
【００４６】
また、本体板８に開口される貫通孔９の形状が、カップ容器１０の前後方向に長い矩形状をなしているとしたが、これに限定されるものではない。すなわち、貫通孔９の開口形状は、前記矩形状以外の例えば多角形状、楕円形状、長円形状等であってもよい。
【００４７】
また、前述の実施形態では、ヒンジ１２が、本体板８の凹部２１における後方端部と、回動板１１の凸部２４における後方端部とを連結しているとしたが、この代わりに、凹部２１の前方端部と、凸部２４の前方端部とを連結していてもよい。
【００４８】
また、回動板１１の刃部２２に、該回動板１１を厚さ方向に貫通する取出孔２７が形成されているとしたが、これに限定されるものではない。すなわち、取出孔２７は、例えば回動板１１の刃部２２の外周端縁から窪まされた切り欠き形状とされていてもよく、或いは、取出孔２７は形成されていなくても構わない。
【００４９】
また、回動板１１と本体板８とを繋ぐヒンジ１２の形状、数、配置等は、前述した実施形態に限定されるものではない。
また、回動板１１には操作部２３が設けられていなくてもよく、この場合、操作者は、例えば刃部２２を直接下側へ向けて押し込むことで、該刃部２２を本体板８に対して回動させて、シール部材４を破断させてもよい。
【００５０】
また、係止片２０が、板状又は羽根状をなしており、刃部２２の前方端面における先鋭刃２５の上側部分から突設されるとしたが、これに限定されるものではない。具体的に、係止片２０は、例えば針状や棒状をなして刃部２２に突設されていてもよく、或いは、刃部２２に突設された複数の突起からなることとしてもよい。また、係止片２０が、刃部２２の前方端部から突設される代わりに、例えば刃部２２の側方から突設されていても構わない。
【００５１】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５２】
１  カップ容器用蓋体
２  容器体
３  口部
４  シール部材
８  本体板
９  貫通孔
１０  カップ容器
１１  回動板
１２  ヒンジ
２０  係止片
２２  刃部
Ｏ  容器軸
【図１】
2014069832.tif 000003
【図２】
2014069832.tif 000004
【図３】
2014069832.tif 000005